(57)【要約】【課題】有線テレビ回線に対するノイズの進入を効果的に防止するノイズ抑制器を提供する。【解決手段】周波数信号を入力する第1コネクタ１０、該周波数信号に対してフィルタリングを行なう第1フィルタ２０、第１フィルタの出力信号に対してサンプリングを行なう結合器３０、結合器の出力信号に対してログ検出及び電圧増幅を行なうログ検出増幅器４０、ログ検出増幅器の出力信号に対して比較を行なう比較器５０、該比較器の出力信号に基づき、制御信号を出力する変換制御器６０、該制御信号に基づき、オン又はオフとなり、該周波数を出力するかを決定する第1スイッチ７０、電圧調整器９０とから構成するノイズ抑制器。アップストリーム（upstream）周波数ノイズが有線テレビの同軸ケーブル中に進入することを防止又は効率的に抑制することができる。【選択図】図１
0003159592.tif 000002
【実用新案登録請求の範囲】
【請求項１】
周波数信号を入力する第１コネクタと、
該第１コネクタに接続し、該周波数信号に対してフィルタリングを行なう第１フィルタと、
該第１フィルタに接続し、該第１フィルタの出力信号に対してサンプリングを行なう結合器と、
該結合器に接続し、該結合器の出力信号に対してログ検出及び電圧増幅を行なうログ検出増幅器と、該ログ検出増幅器に接続し、該ログ検出増幅器の出力信号に対して比較を行なう比較器と、
該比較器に接続し、該比較器の出力信号に基づき、制御信号を出力する変換制御器と、
該結合器及び該変換制御器にそれぞれ接続し、該制御信号に基づき、オン又はオフとなり、該周波数を出力するかを決定する第１スイッチと、
該第１スイッチに接続し、該周波数信号を出力する第２コネクタと、
その一端が第１直流電源に接続して、該第１直流電源を第２直流電源に変換した後、該第１スイッチ、ログ検出増幅器、比較器に使用させる電圧調整器と、
から構成されるノイズ抑制器。
【請求項２】
前記第１コネクタ及び第２コネクタは、光ファイバ又はＲＪ−４５コネクタである請求項１に記載のノイズ抑制器。
【請求項３】
前記周波数信号の周波数は、５ＭＨｚ−４２ＭＨｚであり、且つ該第１フィルタは、バンドパスフィルタである請求項１に記載のノイズ抑制器。
【請求項４】
前記結合器は、コイルであり、該制御信号は、単安定発信信号である請求項１に記載のノイズ抑制器。
【請求項５】
前記ログ検出増幅器が演算増幅であり、該結合器の出力信号に対してサンプリングを行なった後に電圧増幅を行なうようにした請求項１に記載のノイズ抑制器。
【請求項６】
前記比較器及び該変換制御器が何れも演算増幅器である請求項１に記載のノイズ抑制器。
【請求項７】
前記第１スイッチが電子スイッチである請求項１に記載のノイズ抑制器。
【請求項８】
更に、プリント回路板を有し、該第１コネクタ、第１フィルタ、結合器、ログ検出増幅器、比較器、変換制御器、第１スイッチ、第２コネクタ、電圧調整器を載置した請求項１に記載のノイズ抑制器。
【請求項９】
更に、第２フィルタを有し、該プリント回路板上に置かれ、且つ該結合器と該ログ検出増幅器との間に位置し、該結合器の出力信号に対して５ＭＨｚ−４２ＭＨｚのバンドパスフィルタリングを行なう請求項８に記載のノイズ抑制器。
【請求項１０】
更に、第２スイッチを備え、該プリント回路板上に配置し、且つ該第１スイッチと該第２コネクタとの間に位置して該制御信号に基づき、オン又はオフとなり、該周波数信号を出力するかを制御し、該第２スイッチが電子式スイッチである請求項８に記載のノイズ抑制器。
【請求項１１】
更に、第３フィルタを有し、該プリント回路板上に置かれ、且つ該第２スイッチと該第２コネクタとの間に位置し、該第１スイッチの出力信号に対して５ＭＨｚ−４２ＭＨｚのバンドパスフィルタリングを行なうことができる請求項１０に記載のノイズ抑制器。
【請求項１２】
更に、
一端が交流電源に接続する電源入力端と、
電源入力端の他端に接続し、該交流電源を該第１直流電源に変換した後に該電圧調整器に出力することができる交換式電源供給ユニットと、
一端が該交換式電源供給ユニットの出力端に接続し、該第１直流電源を出力する電源出力端と、
を有する請求項８に記載のノイズ抑制器。
【請求項１３】
前記交流電源がＡＣ１１０−２４０Ｖであり、該第１直流電源がＤＣ１２Ｖであり、該第２直流電源がＤＣ２.５Ｖである請求項１２に記載のノイズ抑制器。
【請求項１４】
更に、殻体を有し、該プリント回路板、電源入力端、交換式電源供給ユニット、電源出力端等の部材を該殻体に収容する請求項１２に記載のノイズ抑制器。
【考案の詳細な説明】
【技術分野】
【０００１】
本考案は、ノイズ抑制器に関し、特に、ログ検出増幅器及び電子スイッチを有し、アップロード周波数ノイズが有線テレビの同軸ケーブル中に進入することを防止及び効率的に抑制することができるノイズ抑制器に関する。
【背景技術】
【０００２】
現在、住宅内の有線テレビシステムは、使用者にケーブルモデム(cable
modem)又はセットトップボックス（set top box）方式でイメージ信号をダウンロードするか（周波数、約５４ＭＨｚ-１０００ＭＨｚ）、アップストリーム（upstream）方式でデータを有線テレビシステムのホスト中に伝送させる（周波数、約５ＭＨｚ−４２ＭＨｚ）。
【０００３】
このように、同軸ケーブル中に同時に５４ＭＨｚ-１０００ＭＨｚのイメージ信号及び５ＭＨｚ-４２ＭＨｚのアップストリーム周波数データを有する。但し、使用者がデータをアップロードする時、使用者がケーブルの末端に位置するかその他の原因により、ケーブル中に各種ノイズが多くなり、ノイズもアップストリームデータとともに同軸ケーブル中に進入し、同軸ケーブル中の信号の伝送品質に深刻な影響を及ぼす。
【０００４】
現在公知のタップ（tap）または分配器（distributor）に採用される技術は、いずれも電磁干渉防止コイル（EMI core）を用いて、ノイズを抑制し、相応に抑制することができるが、アップストリームの通路を開閉することができず、ノイズは、同軸ケーブル中に進入を持続し、従って、効果は、顕著でない。
【０００５】
上記公知のタップ又は分配器の欠陥に対して、本考案は、ノイズ抑制器を提供し、上記欠陥を改善する。
【先行技術文献】
【特許文献】
【０００６】
【特許文献１】特開平９−９２４０号公報
【特許文献２】特開２００７−８１９１５号公報
【考案の概要】
【考案が解決しようとする課題】
【０００７】
本考案の目的は、ログ検出増幅器を有し、アップストリーム信号が同軸ケーブル中に進入するかを検出することができるノイズ抑制器を提供することである。
【０００８】
本考案のもう１つの目的は、第１スイッチを有し、該ログ検出増幅器がアップロード周波数を検出した時にオンとされ、アップストリームを同軸ケーブル中に進入させ、アップロードが終了時に該第１スイッチをオフとし、ノイズが同軸ケーブル中に進入することを徹底的に防止することである。
【０００９】
本考案のもう１つの目的は、直流電源を出力し、その他のケーブルモデム又はセットアップボックスに使用させることができるノイズ抑制器を提供することである。
【課題を解決するための手段】
【００１０】
上記の目的を達成する為、本考案のノイズ抑制器は、周波数信号を入力する第１コネクタと、該第１コネクタに接続し、該周波数信号に対してフィルタリングを行なう第１フィルタと、該第１フィルタに接続し、該第１フィルタの出力信号に対してサンプリングを行なう結合器と、該結合器に接続し、該結合器の出力信号に対してログ検出及び電圧増幅を行なうログ検出増幅器と、該ログ検出増幅器に接続し、該ログ検出増幅器の出力信号に対して比較を行う比較器と、該比較器に接続し、該比較器の出力信号に基づき、制御信号を出力する変換制御器と、該結合器及び該変換制御器にそれぞれ接続し、該制御信号に基づき、オン又はオフとなり、該周波数を出力するかを決定する第１スイッチと、該第１スイッチに接続し、該周波数信号を出力する第２コネクタと、その一端が第１直流電源に接続詞、該第１直流電源を第２直流電源に変換した後、該第１スイッチ、ログ検出増幅器、比較器に使用させる電圧調整器と、から構成する。
【考案の効果】
【００１１】
上記のように、本考案のノイズ抑制器により、ログ検出増幅器及び電子スイッチを有し、アップストリームのノイズが有線テレビ回線に進入することを防止又は効率的に抑制することができる。また、それは、電源をその他のケーブルモデム又はセットトップボックスに使用させる等の利点も有する。
【図面の簡単な説明】
【００１２】
【図１】本考案の好適実施例のノイズ抑制器のブロック説明図である。
【考案を実施するための形態】
【００１３】
本考案の構造、特徴及びその目的を分かり易くする為、図面に併せ好適な具体的実施例を挙げ詳細を説明する。
【００１４】
図１は、本考案の好適実施例のノイズ抑制器のブロック説明図である。
【００１５】
図に示すように、本考案のノイズ抑制器は、第１コネクタ１０と、第１フィルタ２０と、結合器３０と、ログ検出増幅器４０と、比較器５０と、変換施制御器６０と、第１スイッチ７０と、第２コネクタ８０と、電圧調整器９０と、から構成される。
【００１６】
そのうち、該第１コネクタ１０は、これに限定するものではないが、例えば、光ファイバコネクタ（F-connector）又はＲＪ−４５コネクタであり、周波数（ＲＦ）信号をケーブル（図示せず）中に入力する。その周波数は、これに限定するものではないが、５ＭＨｚ-４２ＭＨｚである。
【００１７】
該第１フィルタ２０は、該第１コネクタ１０に接続し、該周波数信号に対してフィルタリングを行なう。該第１フィルタ２０は、これに限定するものではないが、例えば、バンドパス（band-pass）フィルタであり、そのフィルタリング周波数は、これに限定するものではないが、例えば、５ＭＨｚ-４２ＭＨｚである。
【００１８】
該結合器３０は、該第１フィルタ２０に接続し、該第１フィルタ２０の出力信号に対してサンプリングを行なう。該結合器３０は、これに限定するものではないが、例えば、コイルである。
【００１９】
該ログ検出増幅器（log detector/controller）４０は、該結合器３０に接続し、該結合器３０の出力信号に対してログ検出及び電圧増幅を行なう。該ログ検出増幅器４０は、これに限定するものではないが、例えば、演算増幅器（Operation Amplifier）であり、先ず、該結合器３０の出力信号に対してサンプリングした後、電圧増幅を行い、該比較器５０により比較を行う。
【００２０】
該比較器５０は、該ログ検出増幅器４０に接続し、該ログ検出増幅器４０の出力信号に対して比較を行なう。該比較器５０は、これに限定するものではないが、例えば、演算増幅器であり、基準電圧ＤＣ２．５Ｖを有し、該ログ検出増幅器４０の出力で夏がＤＣ２．５Ｖ以上である時、該比較器５０は、高電位を出力し、反対に、該ログ検出増幅器４０の出力電圧がＤＣ２．５Ｖより低い時、該比較器５０が低電位を出力する。
【００２１】
該変換制御器６０は、該比較器５０に接続し、該比較器５０の出力信号に基づき、制御信号を出力することができる。該変換制御器６０は、これに限定するものではないが、例えば、演算増幅器であり、該制御信号は、これに限定するものではないが、例えば、単安定発振信号であり、該第１スイッチ７０のオン又はオフのタイミング信号を制御する。
【００２２】
該第１スイッチ７０は、それぞれ該結合器３０及び該変換制御器６０に接続し、該制御信号に基づき、オン又はオフとなり、該周波数信号を出力するかを決定する。該第１スイッチ７０は、これに限定するものではないが、例えば、リレー（relay）の電子式スイッチであり、該制御信号は、高電位である時は、オンとなり、該結合器３０が接合するアップストリーム周波数信号を該ケーブル上に出力させる。該制御信号が低電位である時、オフとなり、該アップストリーム周波数信号を該ケーブル上に出力できなくし、ノイズが該ケーブル中に進入することを防止する。
【００２３】
該第２コネクタ８０は、該第１スイッチ７０に接続し、該周波数信号を出力することに用いる。該第２コネクタ８０は、これに限定するものではないが、例えば、光ファイバコネクタ（F-connector）又はインターネットのＲＪ−４５コネクタであり、該周波数信号を該ケーブルに出力する。且つ該第１コネクタ１０及び該第２コネクタ８０は、同一（例えば、両者が何れも光ファイバコネクタ又はＲＪ−４５コネクタ）又は異なる（例えば、１つが光ファイバであり、もう１つがＲＪ−４５コネクタ）方式で配置することができる。
【００２４】
該電圧調整器９０は、その一端が第１直流電源Ａに接続し、該第１直流電源Ａを第２直流電源Ｂに変換後、該第１スイッチ７０、ログ検出増幅器４０及び比較器５０に出力して使用する。該第２直流電源Ｂは、該比較器５０の基準電圧であることもできる。
【００２５】
また、本考案のノイズ抑制器は、更に、プリント回路板１００を有し、該第１コネクタ１０、第１フィルタ２０、結合器３０、ログ検出増幅器４０、比較器４０、変換制御器６０、第１スイッチ７０、第２コネクタ８０、電圧調整器９０等の部材を搭載し、それは、公知技術であり、且つ本考案の要点でないので、ここでは詳細を記載しない。
【００２６】
また、本考案のノイズ抑制器は、更に第２スイッチ７１を有し、それは、該プリント回路板１００上に置かれ、該第１スイッチ７０と同一であり、該変換制御信号に基づき、オン又はオフとなり、該周波数信号をケーブルに出力するかを制御し、そのうち、該第２スイッチ７１は、電子式スイッチである。
【００２７】
また、本考案のノイズ抑制器は、更に第２フィルタ３５を有し、該プリント回路板１００上に置かれ、且つ該結合器３０及び該ログ検出増幅器４０の間に位置し、更に、該結合器３０の出力信号に対して５ＭＨｚ−４２ＭＨｚのバンドパスフィルタリングを行い、そのフィルタリング効果を増強する。
【００２８】
また、本考案のノイズ抑制器は、更に第３フィルタ７５を有し、それは、該プリント回路板１００上に配置され、該第２スイッチ７１と該第２コネクタ８０との間に位置し、該第２スイッチ７１の出力信号に対して５ＭＨｚ−４２ＭＨｚのバンドパスフィルタリングを行なう。
【００２９】
動作時、該ログ検出増幅器が該第１コネクタ１０が周波数信号をアップストリームしようとすることを検出した場合、該比較器５０は、高電位を出力し、該変換制御器６０に高電位を有する単安定制御信号を出力させ、該第１スイッチ７０及び第２スイッチ７１を同時にオンとし、従って、周波数信号が該ケーブル中にアップストリームできる。該ログ検出増幅器が該第１コネクタ１０が周波数信号をアップストリームしようとすることを検出しない場合、該比較器５０が低電位を出力し、該変換制御器６０に低電位の制御信号を出力し、該第１スイッチ７０及び第２スイッチ７１が同時にオフとなり、従って、周波数信号は、該ケーブル中にアップストリームできず、同時に、ノイズが該ケーブル中に進入することを阻止することができる。従って、本考案のノイズ抑制器は、従来技術のノイズ抑制器に比較し、アップストリームしない時、ノイズがケーブルに進入することを完全に防ぐことができるという利点を有する。
【００３０】
また、本考案のノイズ抑制器は、更に電源入力端１１０と、交換式電源供給ユニット１２０と、電源出力端１３０と、を有する。
【００３１】
そのうち、該電源入力端１１０の一端は、交流電源、これに限定するものではないが、例えば、ＡＣ１１０−２４０Ｖに接続する。
【００３２】
該抗乾式電源供給ユニット１２０は、電源入力端１１０の他端に接続し、該交流電源を該第１直流電源Ａに変換した後、該電圧調整器９０に出力する。
【００３３】
該電源出力端１３０の一端は、該抗乾式電源供給ユニット１２０の出力端に接続し、該第１直流電源Ａをその他のケーブルモデム又はセットアップボックスに出力し、使用させることに用いる。
【００３４】
また、本考案のノイズ抑制器は、更に殻体（図示せず）を有し、該プリント回路板１００、電源入力端１１０、交換式電源供給ユニット１２０、電源出力端１３０等の部材を収容する。該殻体は、これに限定するものではないが、例えば、プラスチック材質から形成される。
【００３５】
従って、本考案のノイズ抑制器は、ノイズがケーブルに進入することを防ぐと同時に、電源をその他の分配器又はタップに使用させる機能を有する。
【００３６】
上記のように、本考案のノイズ抑制器の実施により、それは、ログ検出増幅器及び電子スイッチを有し、アップストリームのノイズが有線テレビに進入することを防止又は効率的に抑制することができる。また、それは、電源をその他のケーブルモデム又はセットトップボックスに使用させる等の利点も有し、本考案は、確実に公知のノイズ抑制器に比較して進歩性を有している。
【００３７】
尚、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３８】
１０  第1コネクタ
２０  第1フィルタ
３０  結合器
３５  第２フィルタ
４０  ログ検出増幅器
５０  比較器
６０  変換制御器
７０  第1スイッチ
７１  第２スイッチ
７５  第３フィルタ
８０  第２コネクタ
９０  電圧調整器
１００  プリント回路板
１１０  電源入力端
１２０  交換式電源供給ユニット
１３０  電源出力端
Ａ  第1直流電源
Ｂ  第２直流電源
【図１】
0003159592.tif 000003